(57)【特許請求の範囲】
【請求項１】
基板及びその両側に各々起伏自在に立ち上げた側板からなる綴じ金具本体と、該綴じ金具本体の両側板の一方の内面に着脱自在に係合した棒支持板及び他方の内面に着脱自在に係合した管支持板と、前記棒支持板にその内面に直交する向きでかつ綴じ間隔で固設した綴じ棒と、前記管支持板にその内面に直交する向きでかつ綴じ間隔で固設した綴じ管であって、前記綴じ棒に外装嵌合可能な径の管体で構成した綴じ管と、で構成した綴じ金具をめっき液に浸漬してめっき処理する綴じ金具のめっき方法において、
前記管支持板の綴じ管の下方の部位に前記綴じ棒の先端が嵌合可能な係合穴を開口しておき、
前記棒支持板及び前記管支持板を綴じ金具本体の各対応する側板に係止し、かつ前記綴じ棒の先端を対面する前記管支持板の係合穴に差し込み係合させた上で、その綴じ金具をハンガーのフックに係止し、そのハンガーごとめっき液に所定時間浸漬することによる綴じ金具のめっき方法。
【請求項２】
基板及びその両側に各々起伏自在に配置した一方の側板及び他方の側板からなる綴じ金具本体と、前記他方の側板の内面に着脱自在に係合した棒支持板と、該棒支持板にその内面に直交する向きでかつ綴じ間隔で固設した綴じ棒と、前記一方の側板にその内面に直交する向きでかつ綴じ間隔で固設した綴じ管であって、前記綴じ棒に嵌合可能な径の管体で構成した綴じ管と、で構成した綴じ金具をめっき液に浸漬してめっき処理する綴じ金具のめっき方法において、
前記一方の側板の綴じ管の下方の部位に前記綴じ棒の先端が嵌合可能な係合穴を開口しておき、
前記棒支持板を前記他方の側板に係止し、かつ前記綴じ棒の先端を対面する前記一方の側板の係合穴に差し込み係合させた上で、その綴じ金具をハンガーのフックに係止し、そのハンガーごとめっき液に所定時間浸漬することによる綴じ金具のメッキ方法。
【発明の詳細な説明】
【技術分野】
【０００１】
本発明は、バインダ類の内側に配して様々な書類や紙資料を綴じるために使用する綴じ金具を能率良くかつ必要な部位に確実にめっきする綴じ金具のめっき方法に関し、より詳しくは、基板及びその両側に起伏自在に配した側板からなる綴じ金具本体と、その一方の側板に着脱自在に配した棒支持板に取り付けた一対の綴じ棒と、他方の側板に直接に取り付けるか又は該側板に着脱自在に配した管支持板に取り付けた該一対の綴じ棒と嵌合しうる一対の綴じ管とで構成した綴じ金具を能率良く、かつ特に綴じ棒のめっきを確実に行うことができる綴じ金具のめっき方法に関するものである。
【背景技術】
【０００２】
綴じ金具のめっき方法に関する文献は見あたらないが、その他の種々の物品のめっき方法に関しては多数の提案がなされている。内容的に関連する提案は容易に見あたらないが、そのうちに、効率的にめっきを行うめっき方法を直接又は間接に含む内容の提案をするものがある。
【０００３】
例えば、特許文献１は、着色亜鉛めっき方法であり、これは、縦、横及び長さの合計が１５００ｍｍ未満の小型部品を着色亜鉛めっきする方法において、５個以上の部品をめっき面全面が露出するように一段に横置き配列し、これらの部品の第１の部分を相互の平均間隔が２〜１００ｍｍとなるように対向させ、平均間隔が１００ｍｍを越えて対向するか若しくは相手部材と対向しない前記部品の第２の部分には治具と一体に配置された金属板を対向させることとし、該第２の部分と金属板の間の平均間隔を２〜１００ｍｍとなるようにして治具に配置した部品を、各部品について同一タイミングで発色元素を含有するめっき浴に治具と共に浸漬し、亜鉛めっきした後、前記部品をめっき浴より引き上げることとするものである。
【０００４】
従ってこの特許文献１の着色亜鉛めっき方法では、複数の部品を並べて能率の良いめっき処理を確保しながら、色むらの生じないようにそれらの間隔を調整するものである。例えば、部品相互の対向する部分については、それら相互の間隔を適切に調整し、他の部品と対向しない部分については治具と一体に配置した金属板を対向させることにより、他の部品と対向する物又は部位と同様の結果を生じさせ、色むらの発生を回避しているものである。この文献の発明では、色むらの発生の防止を主たる目的とし、能率に関しては、前記のように、単に複数の部品を並べて一度に処理することでそれを確保しているに過ぎない。
【０００５】
特許文献２は、電子部品のめっき方法であり、これは、絶縁板に電子部品のリードを挿入するための貫通孔を多数形成し、さらに前記貫通孔の内壁にスルーホールめっき層を形成した電子部品のめっき治具に多数の電子部品を保持し、該めっき治具をドラムの側面に装着し、該ドラムをめっき浴に浸漬し、該ドラムの側面に設けられた外部電極から前記めっき治具に形成された通電領域を介して前記電子部品に通電し、めっきすることによる電子部品のめっき方法である。
【０００６】
従って特許文献２の電子部品へのめっき方法では、以上のような構成により、多数の電子部品を一度にめっき処理してもそれらのリード相互が絡んだりめっきムラが生じたりする問題を回避することができるとされている。
【０００７】
特許文献３は、マスキング部材及びめっき方法であり、これは、貫通した開口部を有するワークを、当該開口部が互いに連通するように複数個を段積みにして各々の前記ワークの開口部の内周面にめっき皮膜を電気めっきにより一括析出するめっき方法において、
隣接する前記ワーク間に液密にマスキング部材を介挿し、
該マスキング部材が、
前記開口部とほぼ同形状の穴部と、
前記穴部を規定する端縁の両側部にそれぞれ形成され、当該端縁の両側部を前記ワークと離間させる切欠と、を有するめっき方法である。
【０００８】
従って特許文献３のめっき方法は、複数個のワークを段積みして多数のそれを一度にめっきする方法であるが、それを目的にしたという云うよりは、その形状によりめっきの膜厚に生じる不均一や膜質に生じる不均一を改善しようとするものである。従って、めっきの能率を上げる点に関しては、複数のワークを段積みした点以上には何もないというべきものである。
【先行技術文献】
【特許文献】
【０００９】
【特許文献１】特許第２６４６４３４号公報
【特許文献２】特開平１０−１３０８９４号公報
【特許文献３】特開２００７−９２６５号公報
【発明の概要】
【発明が解決しようとする課題】
【００１０】
本発明は、バインダ類の内側、通常は背表紙の内面に配して種々の書類や紙資料を綴じるために使用する綴じ金具、中でも、基板及びその両側に起伏自在に配した側板からなる綴じ金具本体と、その一方の側板に着脱自在に配した棒支持板に取り付けた一対の綴じ棒と、他方の側板に直接に又は該側板に着脱自在に配した管支持板に取り付けた該一対の綴じ棒と嵌合しうる一対の綴じ管とで構成した綴じ金具を能率良くかつ特に綴じ棒の外周のめっきを確実に行いうる綴じ金具のめっき方法を提供することを解決の課題とする。
【課題を解決するための手段】
【００１１】
本発明の１は、基板及びその両側に各々起伏自在に立ち上げた側板からなる綴じ金具本体と、該綴じ金具本体の両側板の一方の内面に着脱自在に係合した棒支持板及び他方の内面に着脱自在に係合した管支持板と、前記棒支持板にその内面に直交する向きでかつ綴じ間隔で固設した綴じ棒と、前記管支持板にその内面に直交する向きでかつ綴じ間隔で固設した綴じ管であって、前記綴じ棒に外装嵌合可能な径の管体で構成した綴じ管と、で構成した綴じ金具をめっき液に浸漬してめっき処理する綴じ金具のめっき方法において、
前記管支持板の綴じ管の下方の部位に前記綴じ棒の先端が嵌合可能な係合穴を開口しておき、
前記棒支持板及び前記管支持板を綴じ金具本体の各対応する側板に係止し、かつ前記綴じ棒の先端を対面する前記管支持板の係合穴に差し込み係合させた上で、その綴じ金具をハンガーのフックに係止し、そのハンガーごとめっき液に所定時間浸漬することによる綴じ金具のめっき方法である。
【００１２】
本発明の２は、基板及びその両側に各々起伏自在に配置した一方の側板及び他方の側板からなる綴じ金具本体と、前記他方の側板の内面に着脱自在に係合した棒支持板と、該棒支持板にその内面に直交する向きでかつ綴じ間隔で固設した綴じ棒と、前記一方の側板にその内面に直交する向きでかつ綴じ間隔で固設した綴じ管であって、前記綴じ棒に嵌合可能な径の管体で構成した綴じ管と、で構成した綴じ金具をめっき液に浸漬してめっき処理する綴じ金具のめっき方法において、
前記一方の側板の綴じ管の下方の部位に前記綴じ棒の先端が嵌合可能な係合穴を開口しておき、
前記棒支持板を前記他方の側板に係止し、かつ前記綴じ棒の先端を対面する前記一方の側板の係合穴に差し込み係合させた上で、その綴じ金具をハンガーのフックに係止し、そのハンガーごとめっき液に所定時間浸漬することによる綴じ金具のメッキ方法である。
【発明の効果】
【００１３】
本発明の１の綴じ金具のめっき方法によれば、綴じ金具本体と、一対の綴じ棒を固設した棒支持板と、一対の綴じ管を固設した管支持板との三個の部品で構成されている綴じ金具を、それら全部を結合して一度にめっきすることができることになり、かつこれらを一つに組み合わせた場合に、通常、綴じ棒の外周のめっきが不可能になる問題を解決し、能率的で経済的かつ確実な綴じ金具のめっき処理を行うことができることになったものである。
【００１４】
本発明の１の綴じ金具のめっき方法によれば、綴じ金具には、その管支持板の一対の綴じ管の取り付け部位より下方に、綴じ金具本体に取り付けた状態では、対面することとなる棒支持板から延びる綴じ棒の先端を嵌合することができる係合穴を開口しておくのみで、前記したように、綴じ金具を構成する、綴じ金具本体と一対の綴じ棒を固設した棒支持板と一対の綴じ管を固設した管支持板との三個の部品を結合し、一対の綴じ棒の先端をそれぞれ対面する管支持板の係合穴に係合した状態で不都合無くめっき処理を行うことができる。
【００１５】
綴じ金具は、三個の部品を結合し、その棒支持板に固設した一対の綴じ棒を対面する管支持板に固設した一対の綴じ管に嵌合した状態では、該一対の綴じ棒の外周のめっきを完全に行うことはできない。従って従来は、三個の部品を分離した状態でめっき処理せざるを得ず、能率的で経済的なめっき処理ができなかったが、前記のように、管支持板の綴じ管の下方の部位に係合穴を開口するという簡単で綴じ金具としての機能に全く影響を与えない構成要素を加え、めっき処理工程は、三個の部品を結合し、その際、綴じ棒の先端をその係合穴に嵌合させるという簡単な操作を加えるだけで、他の部位のめっき処理は、勿論、三個の部品の結合状態ではめっき処理が不可能であった綴じ棒のめっき処理をも完全に行うことのできることとなったものである。めっき処理は一般の技法により行うものである。
【００１６】
本発明の２の綴じ金具のめっき方法によれば、綴じ管を一方の側板に固設した綴じ金具本体と、一対の綴じ棒を固設した棒支持板との二個の部品で構成されている綴じ金具を一度にめっきすることができることになり、かつ本発明の１のそれと同様に綴じ棒の外周のめっきも確実に行うことが可能になり、能率的で経済的かつ良好な綴じ金具のめっき処理を行うことができるものである。
【００１７】
本発明の２の綴じ金具のめっき方法によれば、綴じ金具には、綴じ金具本体の一方の側板の綴じ管の取り付け部位より下方の部位に、綴じ金具本体に取り付けた状態で対面することとなる棒支持板から延びる綴じ棒の先端を嵌合することができる係合穴を開口しておくのみで、前記したように、綴じ金具を構成する、綴じ金具本体と棒支持板との二個の部品を結合し、後者の一対の綴じ棒の先端をそれぞれ対面する側板の係合穴に係合した状態で、不都合無くめっき処理を行うことができる。
【００１８】
綴じ金具は、二個の部品を結合し、その棒支持板に固設した一対の綴じ棒を対面する側板に固設した一対の綴じ管に嵌合した状態では、該一対の綴じ棒の外周のめっき処理を完全に行うことはできない。従って従来は、二個の部品を分離した状態でめっき処理せざるを得ず、能率的で経済的なめっき処理ができなかったが、前記のように、側板の綴じ管の下方の部位に係合穴を開口するという簡単で、綴じ金具としての機能に全く影響を与えない構成要素を加え、めっき処理工程は、二個の部品を結合し、その際、綴じ棒の先端をその係合穴に嵌合させるという簡単な操作を加えるだけで、他の部位のめっき処理は、勿論、二個の部品の結合状態ではめっき処理が不可能であった綴じ棒のめっき処理をも完全に行うことのできるものとなったものである。
【図面の簡単な説明】
【００１９】
【図１】(a)は実施例１の綴じ金具のめっき方法の実施の際に綴じ金具本体に管支持板を取り付け、その係合穴に綴じ棒の先端を係止した上で、棒支持板も綴じ金具本体に取り付けた状態の綴じ金具の正面図、(b)は綴じ金具本体の開いた状態の側板に管支持板を取り付け、綴じ棒を該管支持板の係合穴に近づけている状態を示した正面説明図。
【図２】(a)は実施例１の綴じ金具を横向き状態にして見た平面図、(b)は(a)を下方側から見た図、(c)は(a)を右側から見た図。
【図３】(a)は実施例１の横向きの棒支持板を内面側から見た図、(b)は実施例１の綴じ金具本体の側板を開いた状態の横向き平面図、(c)は実施例１の横向きの管支持板を内面側から見た図。
【図４】(a)は実施例１の綴じ金具本体の正面図、(b)は実施例１の管支持板の正面図、(c)は実施例１の棒支持板の正面図。
【図５】一つだけ綴じ金具をフックに吊り下げた状態のハンガーの斜視図。
【図６】(a)は実施例２の綴じ金具のめっき方法の実施の際に綴じ金具本体の綴じ管を配した側板の係合穴に綴じ棒の先端を係止した上で、棒支持板を綴じ金具本体に取り付けた状態の綴じ金具の正面図、(b)は綴じ金具本体を開いた状態にした上で、綴じ管を取り付けた側板の係合穴に綴じ棒を近づけている状態を示した実施例２の正面説明図。
【図７】(a)は実施例２の(b)の横向き状態の綴じ金具を上方から見た図、(b)は実施例２の横向き状態の綴じ金具の平面図、(c)は(b)を下方側から見た図。
【図８】(a)は実施例２の綴じ金具の正面図、(b)は綴じ管を取り付けた側板を取り外した状態の実施例２の綴じ金具の正面図。
【図９】(a)は実施例２の棒支持板を内面側から見た図、(b)は実施例２の綴じ金具本体の開いた状態の横向きの平面図。
【発明を実施するための形態】
【００２０】
本発明を実施するための形態を、実施例に基づいて、図面を参照しながら詳細に説明する。
【実施例１】
【００２１】
この実施例１の綴じ金具のめっき方法は、特に図１〜図４に示すように、綴じ金具本体１と、一対の綴じ棒２、２を備えた棒支持板３と、一対の綴じ管４、４を備えた管支持板５とからなる綴じ金具１０について、綴じ金具本体１の一方の側板６の内面側に管支持板５を取り付け、該管支持板５の一対の係合穴７、７に前記一対の綴じ棒２、２の先端を嵌合させた上で、該綴じ棒２、２を配した棒支持板３を綴じ金具本体１の他方の側板６の内面側に取り付け、その状態で、図５に示すように、その綴じ金具１０を、ハンガーＨのフックｈ、ｈ…に基板８の取付穴９、９…の内の一つを利用して係止し、そのハンガーＨごと、図示しないめっき液を入れためっき槽に所定の時間浸漬し、該綴じ金具１０の外面全体のめっきを行うものである。
【００２２】
まず初めにめっき対象の綴じ金具１０の概要を説明する。
前記綴じ金具本体１は、図１(a)、(b)、図２(a)〜(c)、図３(b)及び図４(a)に示すように、ほぼ長方形の板状の基板８と、その両側からヒンジ８ａ、８ａを介して起伏自在に立ち上げた側板６、６とからなるものである。該基板８は、長さ方向の両端に各々二個の横向きだるま形の取付穴９、９を開口し、両側には各々斜め上外方に屈曲した屈曲部と該屈曲部の上端から僅かに立ち上がる直立部が形成してあり、その各上端に前記ヒンジ８ａが配してある。また前記側板６、６は、各々基板８の両側に前記ヒンジ８ａを介して起伏自在に取り付けてあるものである。
【００２３】
前記側板６は、前記し、かつ特に図１(b)、図３(b)及び図４(a)に示すように、その最下部で前記ヒンジ８ａに結合するものであるが、全体としてほぼ横長の長方形状であり、その中央上部には、棒支持板３の中央上部の部分円弧状の係止凹部３ａ又は管支持板５の中央上部の部分円弧状の係止凹部５ａを抱える部分円弧状の上部抱持部６ａを構成したものである。
【００２４】
前記ヒンジ８ａには、図１(a)、(b)、図２(c)、図３(b)及び図４(a)に示すように、側板６の上部中央の上部抱持部６ａで中央上部の係止凹部３ａを抱えた棒支持板３又は中央上部の係止凹部５ａを抱えた管支持板５の下部中央の係止片部３ｂ、５ｂを抱える下部抱持部６ｂを配しておく。この下部抱持部６ｂは、下部の抱持片６ｂ１と棒支持板３又は管支持板５の外面側を支持する背板６ｂ２からなり、背板６ｂ２から側板６側に伸びるストッパ片（図示せず）が該側板６の内面に当接した状態で該棒支持板３又は該管支持板５の下部中央の係止片部３ｂ、５ｂを確実に保持した状態になり、該ストッパ片が側板６の内面から離間するように該下部抱持部６ｂを基板８側に回動させると、その保持が緩み該棒支持板３又は該管支持板５の下部中央の係止片部３ｂ、５ｂを外せる状態になる。なお、該下部抱持部６ｂは、バネ６ｂ３によって前記ストッパ片が側板６の内面に当接する側に付勢してある。
【００２５】
前記棒支持板３は、図１(a)、(b)、図２(a)、(c)、図３(a)及び図４(c)に示すように、ほぼ長方形状の板材で、その内面にその面に直交する向きに綴じ棒２、２が所定の綴じ間隔で固設してある。この棒支持板３の上部中央には、前記側板６の上部抱持部６ａで抱えられ得るように部分円弧状の前記係止凹部３ａが形成してある。また下部中央には、前記ヒンジ８ａに配した下部抱持部６ｂで抱えられ得るように、係止片部３ｂを形成しておく。通常、該係止片部３ｂが該下部抱持部６ｂで抱えられた状態で、上部中央の係止凹部３ａは側板６の上部抱持部６ａで抱持され得ることになる。
【００２６】
前記係止片部３ｂは、図１(a)、(b)、図２(c)、図３(a)及び図４(c)に示すように、前記棒支持板３の下辺部分を前方に向けて若干傾けた構成であり、そのうち特に、中央部分を僅かに切り欠いてあるものである。
【００２７】
前記管支持板５は、図１(a)、(b)、図２(a)、(c)、図３(c)及び図４(b)に示すように、ほぼ長方形状の板材で、その内面にその面に直交する向きに綴じ管４、４が所定の綴じ間隔で固設してある。当然、位置関係は、前記棒支持板３の綴じ棒２、２と対応させてある。また綴じ管４、４の内径は、前記綴じ棒２、２をスムーズに嵌合できるそれである。この管支持板５の上部中央には、前記側板６の上部抱持部６ａで抱えられ得るように部分円弧状の前記係止凹部５ａが形成してある。また下部中央には、前記ヒンジ８ａに配した下部抱持部６ｂで抱えられ得るように、係止片部５ｂを形成しておくものとする。なお、該係止片部５ｂが下部抱持部６ｂで抱えられている状態で、上部中央の係止凹部５ａは側板６の上部抱持部６ａで抱持され得るようになる。
【００２８】
前記係止片部５ｂは、図１(a)、(b)、図２(a)、(c)、図３(c)及び図４(b)に示すように、前記管支持板５の下辺部分を前方に向けて若干傾けた構成であり、そのうち特に、中央部分を僅かに切り欠いてあるものである。
【００２９】
更に前記管支持板５には、特に図３(c)に示すように、綴じ管４、４の直下の部位に前記綴じ棒２、２が嵌合可能な係合穴７、７を開口しておくものである。これらの係合穴７、７は、この実施例１では、四辺形に形成した。
【００３０】
以上の綴じ金具１０のめっき処理は以下のように行う。
まず綴じ金具本体１の一方の側板６に、図１(b)に示すように、管支持板５を取り付ける。この管支持板５は、その下部の係止片部５ｂの中央部付近をヒンジ８ａに配した下部抱持部６ｂの抱持片６ｂ１と背板６ｂ２との間に装入した上で、その上部の係止凹部５ａを、前記側板６の中央上部の上部抱持部６ａで抱えさせ、該側板６の内面側に該管支持板５の外面側を接合状態にして取り付ける。
【００３１】
この後、棒支持板３に配した綴じ棒２、２の先端を、図１(b)に示すように、側板６に取り付けた管支持板５の内面側に近づけ、その綴じ管４、４の下方の部位に開口してある係合穴７、７に装入嵌合させる。そうした上で、該棒支持板３の下部の係止片部３ｂを対応する側の側板６下部のヒンジ８ａに構成した下部抱持部６ｂの抱持片６ｂ１と背板６ｂ２との間に装入状態とする。その後、図１(a)に示すように、すぐに該棒支持板３の上部の係止凹部５ａを、該側板６の中央上部の上部抱持部６ａで抱えさせるようにし、該棒支持板３を該側板６の内面側に接合状態とする。なお、この場合は、綴じ棒２、２の先端が前記係合穴７、７に嵌合状態なので、係止凹部５ａの上部抱持部６ａによる抱持、及び棒支持板３の側板６への接合状態は完全なものとはならないが、この後の工程に不都合のない程度の結合状態を維持することができる。
【００３２】
綴じ棒２、２は、それらの先端を、以上とは逆に、棒支持板３を対応する側の側板６に取り付けた後に対面する管支持板５の係合穴７、７に嵌合させるようにしても良いのは云うまでもない。
【００３３】
図５に示すように、綴じ金具本体１、棒支持板３及び管支持板５の上記の結合状態の綴じ金具１０をハンガーＨに吊り下げる。このハンガーＨへの綴じ金具１０の吊り下げは、その基板８の一方の端部に開口した取付穴９、９の内の一方に該ハンガーＨのフックｈを係止して行う。綴じ金具１０は、このようにハンガーＨに吊り下げた状態のまま、該ハンガーＨごと図示しないめっき槽に浸漬して行う。
【００３４】
この実施例１では、綴じ金具１０を構成する綴じ金具本体１、棒支持板３及び管支持板５の全構成要素を鉄板で構成したものであり、これらを亜鉛めっきするものであり、綴じ金具１０は、ハンガーごと、所定温度に加熱してある液体亜鉛槽に浸漬して行う。一定時間の浸漬の後に引き上げ、ブロアで圧縮空気を噴射し、綴じ金具１０に付着残留している過剰のめっき液を除去した後、冷却処理を行う。冷却処理は常温の室内に放置することによって行う。なお、めっき処理を行う前の前処理である綴じ金具本体１、棒支持板３及び管支持板５の脱脂、酸洗い及びフラックスの付着は、云うまでもなく、予め行っておくべきものである。以上のように、めっき処理自体は公知の一般の技法によるものである。
【００３５】
こうしてこの実施例１では、綴じ金具本体１と棒支持板３と管支持板５とを一つに結合した状態でめっき処理を行うものであるため、非常に能率的・経済的に行うことのできる処理となる。またこのように一つに結合してめっき処理をするものであるが、綴じ棒２、２を前記綴じ管４、４に嵌合させず、その先端を管支持板５の係合穴７、７に嵌合させることとしたため、該綴じ棒２、２の外周のめっき処理が良好に行えることとなったものである。
【実施例２】
【００３６】
この実施例２の綴じ金具のめっき方法は、図６(a)、(b)〜図９(a)、(b)に示すように、一方と他方の二つの側板１６ａ、１６ｂを両側部に起伏自在に備えた綴じ金具本体１１と、一対の綴じ棒１２、１２を備えた棒支持板１３と、該一方と他方の二つの側板１６ａ、１６ｂのうちの一方の側板１６ａに配した一対の綴じ管１４、１４とからなる綴じ金具２０について、綴じ金具本体１１の一方の側板１６ａの一対の係合穴１７、１７に前記一対の綴じ棒１２、１２の先端を嵌合させた上で、該綴じ棒１２、１２を固設した棒支持板１３を綴じ金具本体１１の他方の側板１６ｂの内面側に取り付け、その状態で、図５に示すように、その綴じ金具２０を、ハンガーＨのフックｈ、ｈ…に基板１８の取付穴１９、１９…の内の一つを利用して係止し、そのハンガーＨごと、図示しないめっき液を入れためっき槽に所定の時間浸漬し、該綴じ金具２０の外面全体のめっきを行うものである。
【００３７】
まず初めにめっき対象の綴じ金具２０の概要を説明をする。
前記綴じ金具本体１１は、図６(a)、(b)、図７(a)〜(c)、図８(a)、(b)及び図９(b)に示すように、ほぼ長方形の板状の基板１８と、その両側からヒンジ１８ａ、１８ａを介して起伏自在に立ち上げた一方の側板１６ａと他方の側板１６ｂとからなるものである。該基板１８は、長さ方向の両端に各々二個の取付穴１９、１９を開口し、両側にはそこから僅かに立ち上がる直立部が形成してあり、その各上端に前記ヒンジ１８ａが構成してある。また前記一方の側板１６ａ及び他方の側板１６ｂは、各々基板１８の両側に該ヒンジ１８ａ、１８ａを介して起伏自在に取り付けてあるものである。
【００３８】
前記一方の側板１６ａは、前記し、かつ特に図６(a)、(b)、図７(b)、(c)、図８(a)及び図９(b)に示すように、その最下部で前記ヒンジ１８ａに結合するものであるが、全体としてほぼ横長長方形の板材で、その内面にその面に直交する向きに綴じ管１４、１４が所定の綴じ間隔で固設してある。位置関係は、前記綴じ棒１２、１２と対応させ、また該綴じ管１４、１４の内径も該綴じ棒１２、１２をスムーズに嵌合できるそれとしてある。更に該一方の側板１６ａには、特に図９(b)に示すように、綴じ管１４、１４の直下の部位に前記綴じ棒１２、１２の嵌合可能な係合穴１７、１７を開口しておくものとする。これらの係合穴１７、１７は、この実施例２でも、四辺形に形成した。
【００３９】
前記他方の側板１６ｂは、前記し、かつ特に図６(a)、(b)、図７(a)、(b)、図８(a)、(b)及び図９(b)に示すように、その最下部で前記ヒンジ１８ａに結合するものであるが、全体としてほぼ横長長方形状であり、その中央上部には、前記棒支持板１３の中央上部の部分円弧状の係止凹部１３ａを抱える部分円弧状の上部抱持部１６ｂ１を構成してあるものである。また該他方の側板１６ｂの内面には、左右一対の係止凸部１６ｂ２、１６ｂ２が形成してあり、前記棒支持板１３を該他方の側板１６ｂの内面に接合した場合にその対応する部位に開口した凸部用穴１３ｂ、１３ｂと嵌合し、該係止凸部１６ｂ２、１６ｂ２の下部が該凸部用穴１３ｂ、１３ｂの下部の係止ピン１３ｃに係止し、該棒支持板１３を該他方の側板１６ｂに正確に接合状態とするようになっている。
【００４０】
前記ヒンジ１８ａのうち、他方の側板１６ｂを結合した側のそれの上には、図６(a)、(b)、図８(a)、(b)及び図９(b)に示すように、他方の側板１６ｂの上部中央の上部抱持部１６ｂ１で中央上部の係止凹部１３ａを抱えることとなっている棒支持板１３の下部の係止ピン１３ｃを抱える下部抱持部１６ｂ３を配しておく。この下部抱持部１６ｂ３は、前記棒支持板１３の下部の係止ピン１３ｃを外側から規制（抱える）する二つの外片１６ｂ３１、１６ｂ３１と、該係止ピン１３ｃを内側から規制（抱える）する二つの内片１６ｂ３２、１６ｂ３２とからなるものである。
【００４１】
なお、前記他方の側板１６ｂの内面への棒支持板１３の接合取り付けは、該他方の側板１６ｂを若干外側に倒すことで該棒支持板１３の下部の係止ピン１３ｃを前記下部抱持部１６ｂ３の二つの外片１６ｂ３１、１６ｂ３１と二つの内片１６ｂ３２、１６ｂ３２との間に装入し、該他方の側板１６ｂを直立状態に戻すと、その係止凸部１６ｂ２、１６ｂ２が該棒支持板１３の凸部用穴１３ｂ、１３ｂに嵌合し、かつ該係止凸部１６ｂ２、１６ｂ２の下部が係止ピン１３ｃの上部に係止し、これを上から抑え、該係止ピン１３ｃを前記下部抱持部１６ｂ３中に保持された状態とすることで行う。このとき、該棒支持板１３の中央上部の係止凹部１３ａが他方の側板１６ｂの中央上部の上部抱持部１６ｂ１で抱持され、こうして、該棒支持板１３は他方の側板１６ｂの内面に確実に取り付けられた状態になる。
【００４２】
前記棒支持板１３は、図６(a)、(b)、図７(b)、図８(a)及び図９(a)に示すように、ほぼ横長の長方形状の板材で、その内面にその面に直交する向きに綴じ棒１２、１２が所定の綴じ間隔で固設してある。この綴じ間隔及び配置の関係は、前記一方の側板１６ａに配した綴じ管１４、１４と対応させてある。綴じ棒１２、１２の外径は当然該綴じ管１４、１４にスムーズに挿入可能なものとする。この棒支持板１３の上部中央には、前記したように、前記他方の側板１６ｂの中央上部の上部抱持部１６ｂ１で抱えられ得るように部分円弧状の前記係止凹部１３ａが形成してある。また下部には、前記ヒンジ１８ａの上に構成した下部抱持部１６ｂ３及び係止凸部１６ｂ２、１６ｂ２で抱えられ得るように、係止ピン１３ｃを形成しておくものとする。なお、この状態で、該棒支持板１３の上部中央の係止凹部１３ａが他方の側板１６ｂの上部抱持部１６ｂ１で抱持されるようになる。更に該棒支持板１３には、特に図９(a)に示すように、前記他方の側板１６ｂの内面に形成した左右一対の係止凸部１６ｂ２、１６ｂ２に対応する部位に開口する凸部用穴１３ｂ、１３ｂが構成してある。
【００４３】
以上の綴じ金具２０のめっき処理は以下のように行う。
まず綴じ金具本体１１に、図６(a)に示すように、棒支持板１３を取り付ける。これは二つの手順で行うことができる。一つの手順は、図６(b)に示すように、棒支持板１３に配した綴じ棒１２、１２を一方の側板１６ａにその内面方向から近づけ、該綴じ棒１２、１２の先端を該一方の側板１６ａの一対の係合穴１７、１７に嵌合させ、その後、該棒支持板１３の下部の係止ピン１３ｃを、他方の側板１６ｂの下部のヒンジ１８ａの上に配した前記下部抱持部１６ｂ３の二つの外片１６ｂ３１、１６ｂ３１と二つの内片１６ｂ３２、１６ｂ３２との間に装入するものである。これは、該他方の側板１６ｂを外側に倒して行う。該他方の側板１６ｂは、バネによって直立するように付勢されているので、その後、直立方向に戻ろうとするが、途中まで戻って、その係止凸部１６ｂ２、１６ｂ２が僅かに該棒支持板１３の凸部用穴１３ｂ、１３ｂに進入し、これによって該係止凸部１６ｂ２、１６ｂ２の下部が係止ピン１３ｃの上部に僅かに係止し、該係止ピン１３ｃを上から抑えることになる。図６(a)に示すように、他方の側板１６ｂの上部の上部抱持部１６ｂ１が棒支持板１３の係止凹部１３ａを抱持するまでには至らないが、以上の結合状態はある程度の安定性を持った状態にはなる。これはその後の工程に不都合のない程度の結合状態である。
【００４４】
もう一つの手順は、前記他方の側板１６ｂを若干外側に倒した上で、前記棒支持板１３の下部の係止ピン１３ｃを該他方の側板１６ｂを結合したヒンジ１８ａの直上に配した前記下部抱持部１６ｂ３に装入し、その後、該他方の側板１６ｂを直立状態に戻るのを許容しつつ、該棒支持板１３に配した一対の綴じ棒１２、１２を対面する一方の側板１６ａの一対の係合穴１７、１７に嵌合させるものである。こうして、図６(a)に示すように、前記の場合と同様のある程度の安定性を持った綴じ金具本体１１と棒支持板１３との結合状態が得られる。
【００４５】
この後、図５に示すように、綴じ金具本体１１及び棒支持板１３の以上の結合状態の綴じ金具２０をハンガーＨに吊り下げる。このハンガーＨへの綴じ金具２０の吊り下げは、その基板１８の一方の端部に開口した取付穴１９、１９の内の一方に該ハンガーＨのフックｈを係止して行う。綴じ金具２０は、このようにハンガーＨに吊り下げた状態のまま、該ハンガーＨごと図示しないめっき槽に浸漬して行う。
【００４６】
この実施例２では、綴じ金具２０を構成する綴じ金具本体１１及び棒支持板１３の全構成要素を鉄板で構成したものであり、これらを亜鉛めっきするものである。綴じ金具２０は、実施例１の場合と同様に、ハンガーごと、所定温度に加熱してある液体亜鉛槽に浸漬して行うものである。所要時間の浸漬の後に引き上げ、ブロアで圧縮空気を噴射し、引き上げた綴じ金具１０に付着残留している過剰のめっき液を除去した後、冷却処理を行う。冷却処理は常温の室内に放置することよって行う。なお、めっき処理を行う前の前処理である綴じ金具本体１、棒支持板３及び管支持板５の脱脂、酸洗い及びフラックスの付着は、云うまでもなく、前記めっき処理の前に予め行っておくべきものである。実施例１と全く同様に、めっき処理自体は公知の一般の技法によるものである。
【００４７】
こうしてこの実施例２では、綴じ金具本体１１と棒支持板１３とを一つに結合した状態でめっき処理を行うものであるため、非常に能率的・経済的に行うことのできる処理となる。またこのように一つに結合してめっき処理するものであるが、綴じ棒１２、１２を前記綴じ管１４、１４に嵌合させず、その先端のみを一方の側板１６ａの係合穴１７、１７に嵌合させることとしたため、該綴じ棒１２、１２の外周のめっき処理が非常に良好に行えることとなったものである。
【産業上の利用可能性】
【００４８】
本発明の方法は、綴じ金具のめっき処理の分野で有効に利用することができる。
【符号の説明】
【００４９】
１    綴じ金具本体
２    綴じ棒
３    棒支持板
３ａ  棒支持板の係止凹部
３ｂ  棒支持板の係止片部
４    綴じ管
５    管支持板
５ａ  管支持板の係止凹部
５ｂ  管支持板の係止片部
６    側板
６ａ  側板の上部抱持部
６ｂ  下部抱持部
６ｂ１  抱持片
６ｂ２  背板
６ｂ３  バネ
７    係合穴
８    基板
８ａ  ヒンジ
９    取付穴
１１  綴じ金具本体
１２  綴じ棒
１３  棒支持板
１３ａ  係止凹部
１３ｂ  凸部用穴
１３ｃ  係止ピン
１４  綴じ管
１６ａ  一方の側板
１６ｂ  他方の側板
１６ｂ１  上部抱持部
１６ｂ２  係止凸部
１６ｂ３  下部抱持部
１６ｂ３１  外片
１６ｂ３２  内片
１７  係合穴
１８  基板
１８ａ  ヒンジ
１９  取付穴
Ｈ    ハンガー
ｈ    フック
【図１】
0005603313.tif 000002
【図２】
0005603313.tif 000003
【図３】
0005603313.tif 000004
【図４】
0005603313.tif 000005
【図５】
0005603313.tif 000006
【図６】
0005603313.tif 000007
【図７】
0005603313.tif 000008
【図８】
0005603313.tif 000009
【図９】
0005603313.tif 000010